(57)【要約】【課題】本発明は、ネットの吊り張り移動及び収納移動が適切にでき、また、乱巻き等が発生することなく安全性にとんだネット又はシート等の吊張体の吊張／収納システムを提供することを課題とする。【解決手段】空間部の所望の箇所に設けられたウインチの巻回ドラムに巻回されたワイヤロープ等の紐状体を空間部の上端側より下端側に移動し、上端側を空間部に固定したネット又はシート等の吊張体の下端側に設けられた移動滑車を介して、前記ネット又はシート等の吊張体の上端側より下端側に沿って直線状に取り付けられた挿通体の下端側より上端側に沿って移動自在に挿通して再度上端側に移動し、その先端を上端側で固定することでネット又はシート等の吊張体を滑車の上に位置するように取り付けた後、前記ワイヤロープ等の紐状体を巻回ドラムより引き出し又は巻き取りすることで、滑車を昇降移動して空間部にネット又はシート等の吊張体を吊り張り移動、又はネット又はシート等の吊張体を上端側に収納移動することである。【選択図】図１
2010279669.tif 000002
【特許請求の範囲】
【請求項１】
空間部の所望の箇所に設けられたウインチの巻回ドラムに巻回されたワイヤロープ等の紐状体を空間部の上端側より下端側に移動し、上端側を空間部に固定したネット又はシート等の吊張体の下端側に設けられた移動滑車を介して、再度上端側に移動し、その先端を上端側で固定することでネット又はシート等の吊張体を滑車の上に位置するように取り付ける際、前記ネット又はシート等の吊張体の上端側より下端側に沿って直線状に取り付けられた挿通体に、上端側より下端側に移動したワイヤロープ等の紐状体を移動自在に挿通し、又は下端側より上端側に移動したワイヤロープ等の紐状体を移動自在に挿通した後、前記ワイヤロープ等の紐状体を巻回ドラムより引き出し又は巻き取りすることで、滑車を昇降移動して空間部にネット又はシート等の吊張体を吊り張り移動、又はネット又はシート等の吊張体を上端側に収納移動することを特徴とするネット又はシート等の吊張体の吊張／収納システム。
【請求項２】
空間部の所望の箇所に設けられたウインチの巻回ドラムに巻回されたワイヤロープ等の紐状体を空間部の上端側より下端側に移動し、上端側を空間部に固定したネット又はシート等の吊張体の下端側に設けられた移動滑車を介して、再度上端側に移動し、再度巻回ドラムで巻き取ることでネット又はシート等の吊張体を滑車の上に位置するように取り付ける際、前記ネット又はシート等の吊張体の上端側より下端側に沿って直線状に取り付けられた挿通体に、上端側より下端側に移動したワイヤロープ等の紐状体を移動自在に挿通し、又は下端側より上端側に移動したワイヤロープ等の紐状体を移動自在に挿通した後、前記ワイヤロープ等の紐状体を巻回ドラムより引き出し又は巻き取りすることで、滑車を昇降移動して空間部にネット又はシート等の吊張体を吊り張り移動、又はネット又はシート等の吊張体を上端側に収納移動することを特徴とするネット又はシート等の吊張体の吊張／収納システム。
【発明の詳細な説明】
【技術分野】
【０００１】本発明は、空間部の上端側より吊り下げられたワイヤロープを引き出しすることで、該ワイヤロープに設けられたネット又はシート等の吊張体を屋内又は屋外の空間部に吊り張り移動又はワイヤロープを巻き取りすることでネット又はシート等の吊張体を空間部の上端側に収納移動するネット又はシート等の吊張体の吊張／収納システムに関する。
【背景技術】
【０００２】従来より、屋内及び屋外において、空間部に複数台のウインチを設置し、各ウインチの巻回ドラムに巻回されたワイヤロープを引き出し又は巻き取りすることで、該ワイヤロープ等の紐状体に直接又は間接的に取り付けられたネットを昇降移動するシステムが利用されている。【０００３】例えば、屋内用の施設として野球の試合を行うドーム型の屋内球技用施設、又は野球練習用の屋内球技用施設、また、屋外用の施設としてゴルフ練習場等である。【０００４】上記ネット又はシート等の吊張体の吊張／収納システムは、上端側を空間部の所望の高さ位置で固定した吊り張り用のネットと、ネットの上端側より下端側に沿って直線状に取り付けられたリング体と、空間部の上端側より前記リング体に挿通し下端側で錘体に連結した複数のワイヤロープと、該各ワイヤロープを引き出し及び巻き取りする複数台のウインチとから構成され、ネットを空間部に吊り張りする場合は、ウインチを駆動することで巻回ドラムに巻回されたワイヤロープを引き出してネットを空間部に吊り張り移動し、ネットを収納する場合は、ウインチを駆動することで巻回ドラムに巻回された各ワイヤロープをそれぞれ巻き取りしネットを空間部の上端側に折り畳んで収納移動する。
【発明が解決しようとする課題】
【０００５】しかしながら、上記屋内施設は大空間部を有するために吊り張りするネットはその荷重が重く、面積も大きいために、上記リング体に挿通したワイヤロープのみでは、ワイヤロープの巻き取り又は引き出し時にワイヤロープに捩じれが発生しやすく、スムーズなワイヤロープの移動ができない。
【０００６】また、ネットの重い荷重及び大面積は、空間部へのネットの適切な吊り張り移動が難しく、特にネットの両端側の下方側は中央部分に引っ張られ、再度別体の横方向のワイヤロープで引っ張らなければ適切な吊り張り移動ができない欠点がある。
【０００７】また、ネットの吊り張り移動と収納移動とは空間部の使用頻度に応じて繰り返して行うために、上記のような適切な吊り張り作業は頻繁に行わなければならず、また、吊り張りが適切でない場合は、収納移動においてもネットの中央部分で重なった状態で折り畳まれることとなり適切な収納移動ができないという欠点がある。
【０００８】また、重い荷重及び大面積のネットは吊り張り移動と収納移動と複数のワイヤロープで行うものの、各ワイヤロープは直線状に取り付けられているために、それぞれ１本のワイヤロープで移動し、その部分にかかるネットの荷重により磨耗しやすく、安全性の面で問題があった。
【０００９】特に、空間部の上端側の形状が円弧状等でネットの高さ方向の距離がそれぞれ相違する場合は、空間部の上端側が直線状の場合に比し上記各問題が発生しやすいく、大きな問題点となった。
【００１０】そこで、本発明は、ネットの吊り張り移動及び収納移動が適切にでき、また、乱巻き等が発生することなく安全性に優れたネット又はシート等の吊張体の吊張／収納システムを提供することを課題とする。
【課題を解決するための手段】
【００１１】本発明は上記課題を解決するためのネット又はシート等の吊張体の吊張／収納システムの第１の解決手段は、請求項１に記載のように、空間部の所望の箇所に設けられたウインチの巻回ドラムに巻回されたワイヤロープ等の紐状体を空間部の上端側より下端側に移動し、上端側を空間部に固定したネット又はシート等の吊張体の下端側に設けられた移動滑車を介して、再度上端側に移動し、その先端を上端側で固定することでネット又はシート等の吊張体を滑車の上に位置するように取り付ける際、前記ネット又はシート等の吊張体の上端側より下端側に沿って直線状に取り付けられた挿通体に、上端側より下端側に移動したワイヤロープ等の紐状体を移動自在に挿通し、又は下端側より上端側に移動したワイヤロープ等の紐状体を移動自在に挿通した後、前記ワイヤロープ等の紐状体を巻回ドラムより引き出し又は巻き取りすることで、滑車を昇降移動して空間部にネット又はシート等の吊張体を吊り張り移動、又はネット又はシート等の吊張体を上端側に収納移動することを特徴とする。
【００１２】ネット又はシート等の吊張体の吊張／収納システムの第２の解決手段は、請求項２に記載のように、空間部の所望の箇所に設けられたウインチの巻回ドラムに巻回されたワイヤロープ等の紐状体を空間部の上端側より下端側に移動し、上端側を空間部に固定したネット又はシート等の吊張体の下端側に設けられた移動滑車を介して、再度上端側に移動し、再度巻回ドラムで巻き取ることでネット又はシート等の吊張体を滑車の上に位置するように取り付ける際、前記ネット又はシート等の吊張体の上端側より下端側に沿って直線状に取り付けられた挿通体に、上端側より下端側に移動したワイヤロープ等の紐状体を移動自在に挿通し、又は下端側より上端側に移動したワイヤロープ等の紐状体を移動自在に挿通した後、前記ワイヤロープ等の紐状体を巻回ドラムより引き出し又は巻き取りすることで、滑車を昇降移動して空間部にネット又はシート等の吊張体を吊り張り移動、又はネット又はシート等の吊張体を上端側に収納移動することを特徴とする。
【発明の作用・効果】
【００１３】次に、本発明のネット又はシート等の吊張体の吊張／収納システムの作用及び効果について記載する。
【００１４】ネット又はシート等の吊張体は、上端側を空間部に直接（例えば、天井の梁等に固定する）、又は連結体（横方向に連結したワイヤーロープ等を介して固定する）を介して固定している。
【００１５】ウインチは、屋内外の所望の空間部（空間部に応じて、床面／地面側、側面又は上方の梁／枠体）に間隔を設けて複数台を設置する。
【００１６】各ウインチの巻回ドラムに巻回されたワイヤロープ等の紐状体は、空間部の上端側より下端側へ移動した後、ネット又はシート等の吊張体の下端側に設けられた移動滑車を介して、その先端を再度上端側で固定する。
【００１７】そして、ワイヤロープ等の紐状体を移動滑車を介してその先端を再度上端側に移動する際、ネット又はシート等の吊張体の上端側より下端側に沿って直線状に取り付けられた挿通体の下端側より上端側にそって移動自在に挿通する。
【００１８】これにより、ネット又はシート等の吊張体は滑車の上に位置することとなり、移動滑車を介して２本のワイヤロープ等の紐状体で吊り下げられた状態となる。
【００１９】また、各ウインチの巻回ドラムを駆動してワイヤロープ等の紐状体を引き出し又は巻き取りすることで、移動滑車を昇降移動し、該移動滑車の昇降移動によりネット又はシート等の吊張体を吊り張り移動又は収納移動することができる。
【００２０】ネット又はシート等の吊張体は通常固定した上端側に収納した状態であり、該状態よりネット又はシート等の吊張体を移動して空間部に吊り張りする作用を説明する。
【００２１】先ず、複数台のウインチの巻回ドラムをそれぞれ回転駆動して各ワイヤロープ等の紐状体を巻回ドラムより引き出し、先端側が固定されたワイヤロープ等の紐状体を移動滑車部分で固定された側へ移動しながら、移動滑車を下方側へ移動し、ネット又はシート等の吊張体を下方側に段階的に広げながら吊り張り移動する。
【００２２】この際、移動滑車を介して２本のワイヤロープ等の紐状体で、ネット又はシート等の吊張体を下方側に段階的に広げながら吊り張りするために、ネット又はシート等の吊張体の荷重を分散して移動でき、ワイヤロープ等の紐状体に捩じれが発生し難く、スムーズなワイヤロープの移動が行える。
【００２３】また、ワイヤロープ等の紐状体の先端が空間部の上端側に固定され他端側はウインチの巻回ドラムに巻回されているために、ネット又はシート等の吊張体には、先端を固定されたワイヤロープ等の紐状体に沿って下方側へ吊り張りされる力と、ウインチ側に引っ張られる力とが働き、ネット又はシート等の吊張体の特に下端側を広げることとなる。
【００２４】また、ネット又はシート等の吊張体は移動滑車に沿って下方側に段階的に広げながら吊り張り移動するために、スムーズな吊り張り移動が可能となる。
【００２５】次に、吊り張りしたネット又はシート等の吊張体を収納移動する作用について説明する。
【００２６】先ず、上記ネット又はシート等の吊張体を空間部に吊り張りした状態より各ウインチの巻回ドラムの回転駆動して各ワイヤロープ等の紐状体を巻回ドラムに巻き取り、先端側が固定されたワイヤロープ等の紐状体を移動滑車部分で巻回ドラム側へ移動しながら、移動滑車を上方に移動して、ネット又はシート等の吊張体を移動滑車の上で下方側より折り畳みながら収納移動する。
【００２７】この際も、上記吊り張りする場合と同様に、移動滑車を介して２本のワイヤロープ等の紐状体を収納移動するために、ネット又はシート等の吊張体の荷重を分散することができ、ワイヤロープ等の紐状体に捩じれが発生することなくスムーズに移動することができる。
【００２８】特に、空間部の上端側の形状が円弧状等高さ方向に距離の相違があり、各ワイヤロープ等の紐状体の引き出し又は巻き取り量が相違する場合においては、該引き出し又は巻き取り量の相違にかかわらずワイヤロープ等の紐状体に捩じれが発生することなく、スムーズに移動することができる。
【００２９】上記ワイヤロープ等の紐状体は、移動滑車を介してその先端を再度上端側に移動する際、ネット又はシート等の吊張体の上端側より下端側に沿って直線状に取り付けられた挿通体の下端側より上端側にそって移動自在に挿通したが、ワイヤロープ等の紐状体を空間部の上端側より下端側へ移動する際に、ネット又はシート等の吊張体に取り付けられた挿通体の上端側より下端側に沿って移動自在に挿通することも可能である。ネット又はシート等の吊張体の吊り張り状況に応じてワイヤロープ等の紐状体の挿通体への挿通を決定すればよい。
【００３０】他の実施例として、ウインチの巻回ドラムに巻回されたワイヤロープ等の紐状体を空間部の上端側より下端側に移動し、上端側を空間部に固定したネット又はシート等の吊張体の下端側に設けられた移動滑車を介して、再度上端側に移動した後、再度巻回ドラムでワイヤロープ等の紐状体を巻き取るように設置することで、ネット又はシート等の吊張体を滑車の上に位置するように取り付ける。
【００３１】上記の場合も、ネット又はシート等の吊張体の上端側より下端側に沿って直線状に取り付けられた挿通体へのワイヤロープ等の紐状体の挿通は、移動滑車を介してその先端を再度上端側に移動する際、挿通体の下端側より上端側にそって移動自在に挿通してもよく、また、ワイヤロープ等の紐状体を空間部の上端側より下端側へ移動する際に、挿通体の上端側より下端側に沿って移動自在に挿通することも可能である。
【００３２】ネット又はシート等の吊張体を空間部に吊り張りする作用を説明する。
【００３３】先ず、複数台のウインチの巻回ドラムをそれぞれ回転駆動して各ワイヤロープ等の紐状体を両上端側より引き出し、ワイヤロープ等の紐状体を移動滑車部分で移動することなく、移動滑車を下方側へ移動して、ネット又はシート等の吊張体を下方側に段階的に広げながら吊り張り移動する。
【００３４】この際、移動滑車を介して２本のワイヤロープ等の紐状体で、ネット又はシート等の吊張体を下方側に段階的に広げながら吊り張りするために、ネット又はシート等の吊張体の荷重を分散して移動できる。
【００３５】また、移動滑車部分でワイヤロープ等の紐状体が移動しないためにワイヤロープ等の紐状体に捩じれが発生し難く、また、ネット又はシート等の吊張体を磨耗することなく吊り張り移動することができる。
【００３６】次に、吊り張りしたネット又はシート等の吊張体を収納移動する作用について説明する。
【００３７】先ず、上記ネット又はシート等の吊張体を空間部に吊り張りした状態より各ウインチの巻回ドラムの回転駆動して各ワイヤロープ等の紐状体を両上端側へ巻き取りし、ワイヤロープ等の紐状体を移動滑車部分で移動することなく移動滑車を上方側へ移動して、ネット又はシート等の吊張体を移動滑車の上で下方側より折り畳みながら収納移動する。
【００３８】この際、上記吊り張り移動の場合と同様に移動滑車部分でワイヤロープ等の紐状体が移動しないためにワイヤロープ等の紐状体に捩じれが発生し難く、また、ネット又はシート等の吊張体を磨耗することなく収納移動することができる。
【００３９】このように、本発明のネット又はシート等の吊張体の吊張／収納システムは、ネット又はシート等の吊張体の荷重を分散しながら安全に且つスムーズに吊り張り移動及び収納移動することができる。
【００４０】しかも、ワイヤロープ等の紐状体に発生する捩じれも従来の単にワイヤロープ等の紐状体を上端側より下端側に移動してネット又はシート等の吊張体を取り付けた場合に比し、格段に少なく、メンテナンスを頻繁に行うことがない。
【００４１】しかも、ネット又はシート等の吊張体の吊り張り時に適切に下端側を広げることができ、吊り張り時の作業工程を削減することができる。
【００４２】また、ネット又はシート等の吊張体の収納時においても、適切に広げた状態より、スムーズな折り畳みができ、収納移動が容易である。従って、再度、吊り張りする時もスムーズにネット又はシート等の吊張体を広げて吊り張りすることができ、作業効率を格段に上げることができる。
【発明を実施するための最良の実施の形態】
【００４３】以下、本発明のウインチを用いたネット又はシート等の吊張体の吊張／収納システムの一実施例について図面を用いて説明する。
【００４４】図１は本発明のネット又はシート等の吊張体の吊張／収納システムの実施例を示す概略説明側面図であり、図２はネット又はシート等の吊張体の吊張／収納システムの吊り張り状態を示す概略説明正面図であり、図３はネット又はシート等の吊張体の吊張／収納システムの収納状態を示す概略説明側面図であり、図４はネット又はシート等の吊張体の吊張／収納システムの側面部分を示す概略説明正面図であり、図５は本発明のネット又はシート等の吊張体の吊張／収納システムの他実施例を示す概略説明図であり、図６は挿通体へワイヤロープ等の紐状体の挿通する場合の他実施例を示す概略説明図であり、図７は本発明のネット又はシート等の吊張体の吊張／収納システムの他実施例を示す概略説明側面図であり、図８はネット又はシート等の吊張体の吊張／収納システムの収納状態を示す概略説明側面図である。
【００４５】本発明のネット又はシート等の吊張体の吊張／収納システムの一実施例について説明する。本実施例では、屋内の空間部に吊り張りする場合について説明する。
【００４６】本発明のネット又はシート等の吊張体の吊張／収納システムは、大空間部Ａの天井側の梁部分に沿って一定の間隔で直接又は枠台（図示せず）を用いて等間隔で設置された複数個のウインチ１（ネット又はシート等の吊張体の面積に応じて数が決定される）と、該巻取式ウインチ１の巻回ドラム２に巻回された紐状体３を引き出し方向を決定すべく巻取式ウインチ１の近傍に取り付けられた近傍滑車４と、該滑車４を介して下方側へ引き出された複数の紐状体３と、上端側を空間部に固定された吊張体５としてのネットと、該吊張体５の下端側に設けられた移動滑車６と、前記吊張体５の上端側より下端側に一定の間隔で直線状に取り付けられた挿通体７としてのリングとから構成され、前記下方側へ引き出された複数の紐状体３は、前記移動滑車６を介して吊張体５に取り付けられた挿通体７の下端側より上端側に移動自在に挿通した後、その先端を空間部の上端側で固定する。
【００４７】これにより、吊張体５は移動滑車６を介して再度上端側に移動した紐状体３Ａに沿って吊り張りされ、巻回ドラム２より移動滑車６まで引き出された紐状体３Ｂによって下端側を引っ張られた状態となる。
【００４８】また、吊張体５は移動滑車６の上に位置して吊り張り及び収納されることとなる。
【００４９】本発明において、紐状体３はワイヤロープに限定されるものでなく樹脂製のロープ、その他近年開発された各種ロープを含むものである。
【００５０】上記のウインチ１は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラム２が設けられている。
【００５１】上記吊張体５の上端側は、空間部Ａ上部横方向に沿って複数箇所で固定された吊り張りワイヤロープ等の固定紐状体８に取り付けることで、上端側の取り付け位置が決定されている。尚、吊張体５の上端部の固定は固定紐状体７に限定するものでなく、例えば、天井の梁に沿って連結具を介して取り付けることも可能であり、また天井側に沿って固定された別体の吊張体の下端側に直接又は間接的にワイヤロープ等の固定紐状体を用い固定することも可能である。要は吊張体５の上端側が空間部で固定されていればよい。
【００５２】上記移動滑車６には、直接又は間接的に錘体９（吊張体５が網目に沿って伸縮するのを防止し、垂直状態に維持するための錘）に取り付けられている。
【００５３】また、移動滑車６には、枠体１０を介して空間部の下方側を閉塞するための補助用のネット又はシート等の補助吊張体１１が取り付けられている。
【００５４】上記のように構成された実施例のウインチを用いたネット又はシート等の吊張体の吊張／収納システムを、屋内の大空間部Ａで使用する場合について説明する。
【００５５】先ず、所望の空間部Ａの形状等に応じて、必要とする数のウインチ１を空間部Ａの上部側の横方向に一定の間隔を開けて複数設置する。
【００５６】その後、前記空間部Ａ上方の形状に応じて固定ワイヤロープ等の紐状体８を複数の固定箇所を介して架設し吊張体５の上端側を前記固定紐状体８に取り付ける。これにより、吊張体５の吊り張り時の上端側及び吊張体５の収納時の位置が決定されることとなる。
【００５７】次に、各ウインチ１の巻回ドラム２を回転駆動し巻回ドラムに巻回された紐状体３をそれぞれ引き出し移動し、天井側に取り付けられた滑車４を介して下方側まで引き出し移動した後、吊張体５の下端側に取り付けられた移動滑車６を介して再度上端側に移動してその先端を上端側で固定する。これにより、略Ｕ字状に紐状体３が架け渡される。この際、移動滑車６より固定した先端側の紐状体３Ａ部分は、吊張体５の上端側より下端側に沿って直線状（縦方向）に設けられた挿通体７の下端側より上端側に移動自在に挿通することで吊張体５を紐状体３Ａに沿って吊り張り又は収納することができる。
【００５８】また、上記吊張体５は移動滑車６の上に位置するように設けられることとなるとともに、巻回ドラム２より移動滑車６間の紐状体３Ｂと紐状体３Ａとの２本によりその荷重が分散されることとなる。
【００５９】しかも、紐状体３Ｂは移動滑車６を介して吊張体５の下端側を引っ張ることとなり、移動滑車６に設けられた錘体９とともに、吊張体５の下端側を適切に広げることとなる。
【００６０】上記のように設置した後、先ず空間部Ａに吊張体５を吊り張り移動する場合について説明する。
【００６１】先ず、各ウインチ１の巻回ドラム２を回転駆動し、紐状体３を引き出し移動することで、紐状体３を移動滑車６を介して紐状体３Ｂ側より紐状体３Ａ側へ移動しながら移動滑車６を下方側に移動する。
【００６２】これにより、前記移動滑車６の上に位置する吊張体５は、下端側より紐状体３Ａに沿って挿通体７間を広ろげながら吊り張り移動する。
【００６３】そして、前記移動滑車６が下端側に近接する位置に下降移動することで錘体９を床面に接して位置するとともに、吊張体５全体を広げて吊り張り移動を行う。
【００６４】この際、吊張体５の下端側は、錘体９が下方側に引っ張るとともに紐状体３Ｂがウインチ１の設置方向に引っ張ることとなり、相違する方向の引っ張りにより、下端側を適切に広げ、吊り張り移動を終える。
【００６５】上記移動滑車６の下端側の移動停止位置は、吊張体５の高さ方向の長さによって決定されるが、床面に接する位置まで移動することがない。このため、移動滑車６の下方側に空間を生じるが、移動滑車６の下端側には補助吊張体１１が取り付けられているために、移動滑車６の下方位置に誤差が生じても適切に下端側を補助吊張体１１で閉塞することができる。
【００６６】次に、空間部Ａに吊り張りされた吊張体５を、固定された上端側に沿って収納移動する場合について説明する。
【００６７】先ず、上記吊張体５の吊り張り状態より、各ウインチ１の巻回ドラム２を回転駆動し巻回ドラム２に紐状体３を巻き取りすることで、紐状体３を移動滑車６を介して紐状体３Ａ側より紐状体３Ｂ側へ移動しながら移動滑車６を下方側より上方側に移動する。
【００６８】これにより、紐状体３Ａ部分では下方側より挿通体７間を狭めながら、該挿通体７部分で吊張体５を折り畳んで上端側に移動する。従って、移動滑車６が上方の停止位置に位置すると、吊張体５は上端側を固定した状態で全体が折り畳まれて収納移動を終える。
【００６９】この際も、吊張体５は移動滑車６の上で折り畳まれているために、その荷重は移動滑車６を介して取り付けられた紐状体３Ａと紐状体３Ｂとで分散しているために、収納移動時における紐状体３の捩じれが発生しにくく、安全に且つスムーズに収納移動を行うことができる。
【００７０】このように、本発明のウインチを用いたネット又はシート等の吊張体の吊張／収納システムは、２本の紐状体３Ｂと紐状体３Ａとによりその吊張体５の荷重を分散させながら、安全に吊り張り移動及び収納移動を繰り返して使用することができる。
【００７１】また、吊張体５は移動滑車６の上に設けられ、移動滑車６の昇降移動にともなって吊り張り又は収納移動するために、吊り張り又は収納移動時のトラブルをできるだけ解消することができ、作業効率を従来のシステムに比し格段に向上することができる。
【００７２】しかも、吊張体５の下端側は錘体９以外に紐状体３Ｂ部分で引っ張ることとなるために、常に吊張体５を適切に広げることができ、従来にない特異な効果を得ることができた。
【００７３】尚、上記実施例では、屋内の空間部に取り付けたが、本発明のウインチを用いたネット又はシート等の吊張体の吊張／収納システムの取り付けは、屋内空間部に限定するものでなく、例えば屋外の空間部（例えば、ゴルフ練習場等）においても有効に取り付けすることができる。
【００７４】また、上記実施例では、ウインチ１の取り付けについては特に限定していないが、傾斜する部分に取り付ける場合は、ウインチ１と滑車４とが正対しないために紐状体３の巻回ドラム２部分での乱巻きや、紐状体３の移動時の捩じれ／撓みが発生しやすくなるために、この場合に巻取式ウインチ１及び近傍の滑車４を３６０度回転する基台、回転台にそれぞれ取り付けることで常に巻取式ウインチ１の巻回ドラム２と滑車４とを正対位置とすることも可能である。
【００７５】また、上記実施例では、移動滑車６を単に吊張体５の下端側に設けた状態で説明したが、本発明のウインチを用いたネット又はシート等の吊張体の吊張／収納システムは、少なくとも吊張体５の両側側の下端部分に移動滑車６を取り付け、上記と同様に紐状体３Ａ部分は挿通体７に移動自在に挿通しその先端を上端側に固定することで、吊張体５の両側側の上端側位置を決定するとともに下端側の移動滑車６を紐状体３Ｂ部分で引っ張ることで、下端側を外方向に引っ張ることができ、吊張体５を適切に広げて吊り張りすることができる。この場合さらに吊張体５の中間部分の下端側に移動滑車６を取り付け紐状体３Ｂ部分で引っ張ることで、例えば、吊張体５をくの字状に吊り張りすることも可能である。
【００７６】また、上記実施例では、紐状体３Ａ部分を挿通体７に移動自在に挿通したが、本発明において挿通体７に移動自在に挿通するのは紐状体３Ａ部分に限定されるものでなく、紐状体３Ｂ部分を挿通体７に移動自在に挿通することも可能である。この場合、紐状体３Ｂ部分はウインチ１と滑車４の設置位置により強く一方に引っ張ることができるために、吊張体５を円弧状又はコの字状に吊り張りする場合等において有効に利用することができる。
【００７７】さらに、上記実施例では、巻回ドラムに巻回された紐状体３を引き出し移動し、天井側に取り付けられた滑車４を介して下方側まで引き出し移動した後、吊張体５の下端側に取り付けられた移動滑車６を介して再度上端側に移動してその先端を上端側で固定したが、本発明のネット又はシート等の吊張体の吊張／収納システムは、吊張体５の取り付けはこれに限定されるものでなく、巻回ドラムに巻回された紐状体３を引き出し移動し、天井側に取り付けられた滑車４を介して下方側まで引き出し移動した後、吊張体５の下端側に取り付けられた移動滑車６を介して再度上端側に移動した後、別体の巻回ドラムに巻回する。これにより、それぞれの巻回ドラムに巻回された紐状体３を引き出し移動し紐状体３を移動滑車６を介して移動することなく、移動滑車６を下方側に移動して吊張体５を吊り張り移動する。また、それぞれの巻回ドラムに巻回された紐状体３を巻き取り移動し紐状体３を移動滑車６を介して移動することなく、移動滑車６を上方側に移動して吊張体５を収納移動することも可能である。
【００７８】また、紐状体３をそれぞれの巻回ドラムより、引き出し又は巻き取りする方法を利用すると、上記実施例の場合に比し移動滑車６部分で紐状体３の移動がないために、紐状体３の磨耗及び捩じれが発生し難く、さらにスムーズな移動滑車６の昇降移動を可能とする。
【００７９】また、上記の場合も実施例と同様に紐状体３Ａ部分を吊張体５に設けられた挿通体７に移動自在に挿通してもよく、また、紐状体３Ｂ部分を吊張体５に設けられた挿通体７に移動自在に挿通してもよい。要は、ウインチの設置位置により吊張体５の引っ張り方向を設定すればよい。
【図面の簡単な説明】
【００８０】
【図１】本発明のネット又はシート等の吊張体の吊張／収納システムの実施例を示す概略説明側面図
【図２】ネット又はシート等の吊張体の吊張／収納システムの吊り張り状態を示す概略説明正面図
【図３】ネット又はシート等の吊張体の吊張／収納システムの収納状態を示す概略説明側面図
【図４】ネット又はシート等の吊張体の吊張／収納システムの側面部分を示す概略説明正面図
【図５】本発明のネット又はシート等の吊張体の吊張／収納システムの他実施例を示す概略説明図
【図６】挿通体へワイヤロープ等の紐状体の挿通する場合の他実施例を示す概略説明図
【図７】本発明のネット又はシート等の吊張体の吊張／収納システムの他実施例を示す概略説明側面図
【図８】ネット又はシート等の吊張体の吊張／収納システムの収納状態を示す概略説明側面図
【符号の説明】
【００８１】１…ウインチ、３…紐状体、５…吊張体
【図１】
2010279669.tif 000003
【図２】
2010279669.tif 000004
【図３】
2010279669.tif 000005
【図４】
2010279669.tif 000006
【図５】
2010279669.tif 000007
【図６】
2010279669.tif 000008
【図７】
2010279669.tif 000009
【図８】
2010279669.tif 000010